(57)【要約】【課題】極めて簡単な操作で組み立てることができ、そのまま容器として使用することができる中仕切付き包装体を提案するものである。【解決手段】紙箱と、内容物と、これら全体を覆うシュリンク包装から構成される中仕切付き包装体であって、紙箱の底面板は、主仕切板７と補助仕切板８を有し、主仕切板は、底面板に設けられた一繋がりの切込線Ａによって区画され、折罫線ａを折ることによって底面板に対して直角に立ち上がり、補助仕切板は、一繋がりの切込線Ｂによって区画され、折罫線ｂを折ることによって底面板に対して直角に立ち上がり、主仕切板は、補助仕切板を形成する切込線Ｂの一部を輪郭とする孔部９を有し、主仕切板を立ち上げた後、補助仕切板を立ち上げることにより、補助仕切板の先端に設けた窪みｃが主仕切板の孔部の頂点に設けた窪みｄに嵌合して、底面板に対してそれぞれ直角となる位置で位置決めされることを特徴とする。【選択図】図１
2015078006.tif 000002
【特許請求の範囲】
【請求項１】
紙箱と、紙箱に収納した内容物と、これら全体を覆うシュリンク包装から構成される包装体であって、
紙箱は、底面板と側面板を有し、
底面板は、主仕切板（７）と補助仕切板（８）を有し、
主仕切板は、底面板に設けられた一繋がりの切込線（Ａ）によって区画され、切込線（Ａ）の始点と終点を結ぶ折罫線（ａ）を折ることによって底面板に対して直角に立ち上がり、
補助仕切板は、底面板に設けられ、その一部が主仕切板の内部に形成される一繋がりの切込線（Ｂ）によって区画され、切込線（Ｂ）の始点と終点を結ぶ折罫線（ｂ）を折ることによって底面板に対して直角に立ち上がり、
主仕切板は、補助仕切板を形成する切込線（Ｂ）の一部を輪郭とする孔部（９）を有し、
主仕切板の折罫線（ａ）と補助仕切板の折罫線（ｂ）は、直角に交わっており、
主仕切板を立ち上げた後、補助仕切板を立ち上げることにより、補助仕切板の先端に設けた窪み（ｃ）が主仕切板の孔部の頂点に設けた窪み（ｄ）に嵌合して、主仕切板と補助仕切板とが、底面板に対してそれぞれ直角となる位置で位置決めされることを特徴とする中仕切付き包装体。
【請求項２】
前記主仕切板、及び補助仕切板を立ち上げることによって底面板に生じる貫通孔（１０）を、前記内容物が通過し得ることを特徴とする請求項１に記載の中仕切付き包装体。
【発明の詳細な説明】
【技術分野】
【０００１】
本発明は、物品を収納した包装体に関し、特に紙箱と一体に設けられた中仕切りを備えた包装体に関する。
【背景技術】
【０００２】
紙箱や包装袋に物品を収納する場合、物品が内部で動き回らないようにするために中仕切を使用することが行われる。中仕切りは、紙箱や包装袋とは別の部材として準備されることが多い。
【０００３】
特許文献１に記載された容器用中仕切材は、このような目的のために考案されたものであり、台紙に２つの仕切片を左右方向にずらせて相接するように形成し、各仕切片の端部には他の仕切片に突入するように係合片を延設し、この係合片を差し込む係合孔を仕切片が接する方向と交叉するように台紙に形成し、各仕切片を係合片が含む係合仕切片と直立仕切片とに分割させ、両仕切片を台紙に対して直立させて係合仕切片を横向きに折り曲げたとき係合片を係合孔に差し込ませてなる容器用中仕切材である。
【０００４】
特許文献１に記載された容器用中仕切材は、仕切片が台紙に対して回転対称に配置されるため、組み立てた時の外観形状が安定するという長所を備えている。
【先行技術文献】
【特許文献】
【０００５】
【特許文献１】実公昭５５−４５６号公報
【発明の概要】
【発明が解決しようとする課題】
【０００６】
特許文献１に記載された容器用中仕切材は、組み立てに当って、まず一方の仕切片を引き起こし、係合仕切片を直角に折り曲げ、係合片を係合孔に差し込むという３段階の手順を要し、これをもう一方の仕切片にも行う必要があるため、都合６段階の手順を必要とする。
【０００７】
このように組立に当っての手順が多いため、組立に手間がかかるという問題がある他、この容器用中仕切材は、あくまで中仕切部材であって容器ではないため、包装体とするためには、他に何らかの容器が必要であるという問題がある。
【０００８】
本発明の解決しようとする課題は、極めて簡単な操作で組み立てることができ、そのまま容器として使用することができる中仕切付き包装体を提案するものである。
【課題を解決するための手段】
【０００９】
上記の課題を解決するための手段として、請求項１に記載の発明は、紙箱と、紙箱に収納した内容物と、これら全体を覆うシュリンク包装から構成される包装体であって、紙箱は、底面板と側面板を有し、底面板は、主仕切板（７）と補助仕切板（８）を有し、主仕切板は、底面板に設けられた一繋がりの切込線（Ａ）によって区画され、切込線（Ａ）の始点と終点を結ぶ折罫線（ａ）を折ることによって底面板に対して直角に立ち上がり、補助仕切板は、底面板に設けられ、その一部が主仕切板の内部に形成される一繋がりの切込線（Ｂ）によって区画され、切込線（Ｂ）の始点と終点を結ぶ折罫線（ｂ）を折ることによって底面板に対して直角に立ち上がり、主仕切板は、補助仕切板を形成する切込線（Ｂ）の一部を輪郭とする孔部（９）を有し、主仕切板の折罫線（ａ）と補助仕切板の折罫線（ｂ）は、直角に交わっており、主仕切板を立ち上げた後、補助仕切板を立ち上げることにより、補助仕切板の先端に設けた窪み（ｃ）が主仕切板の孔部の頂点に設けた窪み（ｄ）に嵌合して、主仕切板と補助仕切板とが、底面板に対してそれぞれ直角となる位置で位置決めされることを特徴とする中仕切付き包装体である。
【００１０】
本発明に係る中仕切付き包装体は、底面板と側面板からなる紙箱に内容物を収納し、全体をシュリンク包装したものであり、底面板から切り起こした仕切板を有するので、内容物が確実に保持される。
【００１１】
また、請求項２に記載の発明は、前記主仕切板、及び補助仕切板を立ち上げることによって底面板に生じる貫通孔（１０）を、前記内容物が通過し得ることを特徴とする請求項１に記載の中仕切付き包装体である。
【発明の効果】
【００１２】
本発明に係る中仕切付き包装体は、紙箱と、紙箱に収納した内容物と、これら全体を覆うシュリンク包装とから構成される包装体であるから、極めて簡単な構成からなり、従って、低コストに製造することができる。
【００１３】
シュリンク包装を透明なフィルムとすることにより、内容物を目視できるので、未開封の状態でも展示効果を発揮することができる。
【００１４】
底面板から切込線によって立ち上がる主仕切板と、これに直角に交わる補助仕切板を有するので、内容物が動き回ることがなく、確実に保持される。またこの中仕切は、別の部品ではなく、底面板から形成されるものであるから、材料コストがかからずに済む。
【００１５】
中仕切の組み立ては、二つの仕切板を折罫線に沿って立ち上げるだけのわずか２つの操作で完了するため、極めて簡単に組み立てることができる。
【００１６】
また、仕切板を立ち上げることによって、底面板には貫通孔が生じるが、内容物がこの貫通孔を通過するような、小さなものであったとしても、全体をシュリンク包装しているため、内容物が脱落するようなことがなく、中仕切を必要十分な大きさとすることができる。
【図面の簡単な説明】
【００１７】
【図１】図１は、本発明に係る中仕切付き包装体の一例を示した斜視図である。
【図２】図２は、図１に示した中仕切付き包装体の紙箱を示した斜視図である。
【図３】図３は、図２に示した紙箱のブランクを示した平面模式図である。
【発明を実施するための形態】
【００１８】
以下図面を参照しながら、本発明に係る中仕切付き包装体について説明する。
本発明に係る中仕切付き包装体（１）は、図１に示したように、紙箱（２）と、紙箱に収納した内容物（３）と、これら全体を覆うシュリンク包装（４）から構成される包装体である。
【００１９】
図２、図３に示したように、紙箱（２）は、底面板（５）と側面板（６）を少なくとも有し、底面板（５）は、主仕切板（７）と補助仕切板（８）を有する。
【００２０】
主仕切板（７）は、底面板（５）に設けられた一繋がりの切込線（Ａ）によって区画され、切込線（Ａ）の始点と終点を結ぶ折罫線（ａ）を折ることによって底面板（５）に対して直角に立ち上がる。
【００２１】
補助仕切板（８）は、主仕切板と同様に底面板（５）に設けられ、その一部が主仕切板（７）の内部に形成される一繋がりの切込線（Ｂ）によって区画され、切込線（Ｂ）の始点と終点を結ぶ折罫線（ｂ）を折ることによって底面板に対して直角に立ち上がる。
【００２２】
主仕切板（７）は、補助仕切板（８）を形成する切込線（Ｂ）の一部を輪郭とする孔部（９）を有し、主仕切板（７）の折罫線（ａ）と補助仕切板（８）の折罫線（ｂ）は、直角に交わっている。
【００２３】
主仕切板（７）を立ち上げた後、補助仕切板（８）を立ち上げることにより、補助仕切板（８）の先端に設けた窪み（ｃ）が主仕切板の孔部（９）の頂点に設けた窪み（ｄ）に嵌合して、主仕切板（７）と補助仕切板（８）とが、底面板（５）に対してそれぞれ直角となる位置で位置決めされる。
【００２４】
このように、本発明に係る中仕切付き包装体は、極めて簡単な操作で組み立てることができ、そのまま容器として使用することができるものである。
【００２５】
なお、図１〜３の例では、主仕切板と補助仕切板が１枚づつの例を示したが、一つの底面板に、同様の組み合わせの仕切板が、複数存在していても良い。
【００２６】
また、図１〜３の例では、底面板（５）と側面板（６）のみからなる例を示したが、側面板（６）に上面を覆う蓋板が延設されていても良い。蓋板は、上面全面を覆うものでも良いし、各側面板から延設されて、上面の周縁を取り囲むようなものであっても良い。また、側面板の形状等についても、任意である。
【００２７】
主仕切板（７）と補助仕切板（８）を立ち上げることにより、底面板（５）には、貫通孔（１０）が生じる。内容物（３）の大きさが、この貫通孔（１０）に比較して十分大きい場合には、内容物（３）が、貫通孔（１０）を通過して脱落することはないが、内容物（３）が、この貫通孔（１０）を通過し得るようなものであっても、本発明においては、シュリンク包装（４）が存在するために、内容物（３）が脱落することはない。
【００２８】
従って、本発明に係る中仕切付き包装体（１）は、内容物（３）が比較的小さな物品であっても、中仕切の大きさを、必要な大きさに自由に設定することができるという特徴を有するものである。
【符号の説明】
【００２９】
１・・・包装体
２・・・紙箱
３・・・内容物
４・・・シュリンク包装
５・・・底面板
６・・・側面板
７・・・主仕切板
８・・・補助仕切板
９・・・孔部
１０・・・貫通孔
１１・・・ブランク
Ａ・・・切込線
Ｂ・・・切込線
ａ・・・折罫線
ｂ・・・折罫線
ｃ・・・窪み
ｄ・・・窪み
【図１】
2015078006.tif 000003
【図２】
2015078006.tif 000004
【図３】
2015078006.tif 000005